(57)【要約】【課題】高輝度を実現する際においても消費電力を低減する。【解決手段】光源駆動装置１００は、光源１１に光源駆動信号を供給する駆動回路４０と、逆起電力を発生させ、発生した逆起電力に応じた逆起信号を光源駆動信号に加える逆起電力回路５０と、制御回路９０と、を備える。制御回路９０は、目標輝度が所定の閾値よりも小さい場合には、逆起信号を光源駆動信号に加えさせず、光源駆動信号によって光源１１を駆動し、目標輝度が閾値以上の場合には、逆起信号を光源駆動信号に加えさせ、逆起信号と光源駆動信号とによって光源１１を駆動する。【選択図】図３
2014107440.tif 000002
【特許請求の範囲】
【請求項１】
光源と、
前記光源に光源駆動信号を供給して前記光源を駆動する駆動手段と、
逆起電力を発生させ、発生した逆起電力に応じた逆起信号を前記光源駆動信号に加える逆起電力発生手段と、
前記駆動手段と前記逆起電力発生手段との動作を制御し、所望の目標輝度で前記光源を発光させる制御手段と、を備え、
前記制御手段は、
目標輝度が所定の閾値よりも小さい場合には、前記逆起信号を前記光源駆動信号に加えさせず、前記光源駆動信号によって前記光源を駆動し、
目標輝度が前記閾値以上の場合には、前記逆起信号を前記光源駆動信号に加えさせ、前記逆起信号と前記光源駆動信号とによって前記光源を駆動する、
ことを特徴とする光源駆動装置。
【請求項２】
前記逆起電力発生手段は、前記逆起信号を前記光源駆動信号に加えるか否かの動作を切り替える切替手段を含み、
前記切替手段は、
目標輝度が前記閾値よりも小さい場合には、前記逆起信号を前記光源駆動信号に加えさせないように動作を切り替え、
目標輝度が前記閾値以上の場合には、前記逆起信号を前記光源駆動信号に加えさせるように動作を切り替える、
ことを特徴とする請求項１に記載の光源駆動装置。
【請求項３】
装置外部の外光の強度を検出する外光強度検出手段をさらに備え、
前記制御手段は、前記外光強度検出手段によって検出された外光の強度に応じて目標輝度を設定する、
ことを特徴とする請求項１又は２に記載の光源駆動装置。
【請求項４】
前記制御手段は、パルス幅変調制御方式により、目標輝度に応じたデューティ比をもつ駆動信号を前記駆動手段に供給することで前記光源を駆動し、
前記逆起信号を前記光源駆動信号に加えさせていた状態から、前記逆起信号を前記光源駆動信号に加えさせない状態に遷移するタイミングで、目標輝度が要求するデューティ比よりも大きいデューティ比の駆動信号を前記駆動手段に供給する、
ことを特徴とする請求項１乃至３のいずれか１項に記載の光源駆動装置。
【発明の詳細な説明】
【技術分野】
【０００１】
本発明は、光源駆動装置に関する。
【背景技術】
【０００２】
従来の光源駆動装置として、例えば特許文献１に開示されたものがある。特許文献１に開示された光源駆動装置（同文献にいう表示装置）は、ＬＥＤを有する表示器と、ＬＥＤを駆動する駆動回路と、外光強度を検出する受光回路と、受光回路が検出した外光強度に応じた輝度調整データを駆動回路に供給する制御回路と、を備え、ＬＥＤを所望の輝度で発光させるものである。
【先行技術文献】
【特許文献】
【０００３】
【特許文献１】特開２００６−１０６５３８号公報
【発明の概要】
【発明が解決しようとする課題】
【０００４】
ところで、特許文献１に係る光源駆動装置のように輝度を調整する場合、一般的に、輝度調整幅は、制御回路（ＣＰＵ）の分解能に依存する固定の幅となる。そのため、目標輝度が低輝度側から高輝度側に遷移し高輝度を実現する場合には、当然に低輝度時よりも大きな輝度調整幅が必要となり、制御回路に大きな負荷がかかって消費電力が増大するという問題があった。
【０００５】
本発明は、上記実情に鑑みてなされたものであり、高輝度を実現する際においても消費電力を低減することができる光源駆動装置を提供することを目的とする。
【課題を解決するための手段】
【０００６】
上記目的を達成するため、本発明に係る光源駆動装置は、
光源と、
前記光源に光源駆動信号を供給して前記光源を駆動する駆動手段と、
逆起電力を発生させ、発生した逆起電力に応じた逆起信号を前記光源駆動信号に加える逆起電力発生手段と、
前記駆動手段と前記逆起電力発生手段との動作を制御し、所望の目標輝度で前記光源を発光させる制御手段と、を備え、
前記制御手段は、
目標輝度が所定の閾値よりも小さい場合には、前記逆起信号を前記光源駆動信号に加えさせず、前記光源駆動信号によって前記光源を駆動し、
目標輝度が前記閾値以上の場合には、前記逆起信号を前記光源駆動信号に加えさせ、前記逆起信号と前記光源駆動信号とによって前記光源を駆動する、
ことを特徴とする。
【発明の効果】
【０００７】
本発明によれば、高輝度を実現する際においても消費電力を低減することができる。
【図面の簡単な説明】
【０００８】
【図１】本発明の一実施形態に係るヘッドアップディスプレイ装置の車両への搭載態様を説明するための図である。
【図２】ヘッドアップディスプレイ装置の概略構成図である。
【図３】本発明の一実施形態に係る光源駆動装置の構成を示すブロック図である。
【図４】逆起電力回路の具体例を説明するためのブロック図である。
【図５】本発明の一実施形態に係る光源駆動制御処理のフローチャートである。
【図６】図５に示す光源駆動制御処理におけるステップＳ８の処理を説明するための概念図である。
【発明を実施するための形態】
【０００９】
本発明の一実施形態に係る光源駆動装置を、図面を参照して説明する。
【００１０】
本実施形態に係る光源駆動装置１００（図３参照）は、図１に示すヘッドアップディスプレイ（ＨＵＤ）装置１の一部として構成されるものである。このＨＵＤ装置１は、例えば、車両２のダッシュボード内に設けられ、車両情報を報知するための報知画像を表す光（表示光Ｌ）をウインドシールド３（フロントガラス）で反射させることにより、報知画像の虚像Ｖをユーザ４（主に、車両２の運転者）に視認させる装置である。これにより、ユーザ４は、運転中に前方から視線を逸らさずに車両情報を認識することができる。
【００１１】
ＨＵＤ装置１は、図２に示す、表示手段１０、光学系２０、回路基板３０、及びハウジングＨと、図３に示す光源駆動装置１００と、を備える。
【００１２】
表示手段１０は、光源１１が出射した光により、報知画像を表す光（表示光Ｌ）を光学系２０に向けて出射する。光源１１は、例えばＬＥＤ（Light Emitting Diode）からなる。
表示手段１０は、光源１１、光源１１からの光を反射させる可動式の複数のマイクロミラーを有するＤＭＤ（Digital Micro-mirror Device）、ＤＭＤで反射した光を受光して報知画像を表示するスクリーン等から構成されている。これにより、表示手段１０は、表示光Ｌを光学系２０に向け出射する。なお、表示手段１０は、バックライトとして機能する光源１１を備えた公知の透過型の液晶表示装置や、光源１１を配列して構成される自発光型ディスプレイ装置等から構成されていてもよい。
【００１３】
光学系２０は、表示手段１０が投影する報知画像が、所望の位置に、所望の大きさで、虚像Ｖとして結ばれるように、表示手段１０とウインドシールド３の光路間に設けられる光学系である。本実施形態に係る光学系２０は、平面鏡２１及び凹面鏡２２の２つの反射部材から構成されている。
平面鏡２１は、表示手段１０からの表示光Ｌを受ける位置に配置され、入射した表示光Ｌを凹面鏡２２に向け効率良く反射させる。
凹面鏡２２は、平面鏡２１で反射した表示光Ｌをウインドシールド３に向かって反射させる。これにより、結ばれる虚像Ｖの大きさは、表示手段１０が表示している報知画像が拡大された大きさになる。
【００１４】
回路基板３０は、ガラス繊維を含む樹脂等からなる板状の基材に、所定の配線パターンが形成されたプリント回路板である。回路基板３０には、後述の制御回路９０（図３参照）等が実装されている。回路基板３０は、例えば、図示しないＦＰＣ（Flexible Printed Circuit）を介して、表示手段１０、後述の外光強度検出手段７０の各々と導通接続されている。
【００１５】
ハウジングＨは、表示手段１０、光学系２０、回路基板３０、及び、光源駆動装置１００を所定の位置に収納するものであり、遮光性の部材により形成される。
【００１６】
光源駆動装置１００は、図３に示すように、駆動回路４０と、逆起電力回路５０と、スイッチ回路６０と、外光強度検出手段７０と、電源回路８０と、制御回路９０と、を備える。
【００１７】
制御回路９０は、マイクロコントローラ、ＦＰＧＡ（Field Programmable Gate Array）、ＡＳＩＣ（Application Specific Integrated Circuit）等からなる。制御回路９０は、車両２のＥＣＵ（Electronic Control Unit）等の外部装置（図示せず）から通信ラインにより伝送される車両２の状態情報（速度、燃費等）を表示手段１０に表示するための駆動信号を、光源１１用の駆動回路４０及び表示制御用の駆動回路（図示せず）に出力し、表示手段１０を駆動する。
【００１８】
特にこの実施形態では、制御回路９０は、外光強度検出手段７０から取得した外光強度情報に応じて、所望の明るさで光源１１が発光するように、適宜、ＰＷＭ（Pulse Width Modulation）制御方式により光源１１を駆動する。具体的には、制御回路９０は、取得した外光強度情報に応じて光源１１の出力を定めるための目標輝度を設定し、光源１１の出力が目標輝度に応じるようにパルス幅を調整した駆動信号（所定のデューティ比の駆動信号）を生成して駆動回路４０に供給する。また、制御回路９０は、スイッチ回路６０の動作も制御する。
なお、制御回路９０は、ＰＷＭ制御方式とＰＡＭ（Pulse Amplitude Modulation）制御方式とを適宜併用して光源１１を駆動してもよい。また、制御回路９０が輝度を調整する契機は、外光強度情報によらず、車両２側からの切り替え信号、ユーザ４の操作に基づく操作信号等によってもよい。
【００１９】
制御回路９０は、ＣＰＵ（Central Processing Unit）と、ＣＰＵによる処理の手順を定義したプログラムを記憶するＲＯＭ（Read Only Memory）、ユーザによる適当な数値入力等を受けて実行されるプログラム及び必要な情報を一時的に記憶しておくＲＡＭ（Random Access Memory）等からなる記憶手段と、から構成される。ＲＯＭ内には、後述する光源駆動制御処理を実行するためのプログラムが予め記憶されており、ＣＰＵは、これらプログラムを読み出し、実行する。
【００２０】
駆動回路４０は、例えば、スイッチングレギュレータ型ＬＥＤドライバのＩＣ（Integrated Circuit）からなり、内部に有する発振回路によりスイッチング動作を行い、光源１１に供給する駆動電流を制御する。具体的には、駆動回路４０は、スイッチング動作により、電源回路８０からの入力電圧を、オンとオフとを示す光源駆動信号（パルス）として出力する。この光源駆動信号は、制御回路９０から供給された駆動信号に重畳され、駆動信号のパルス幅は、出力が所望の電力となるように、適宜、変化される。これにより、制御回路９０から供給された駆動信号と駆動回路４０から供給された光源駆動信号とが共にオンを示す時に、光源１１に駆動電流が供給される。
ここで、光源１１は、例えば、図４に示すように、赤色光を発する光源１１ｒ、緑色光を発する光源１１ｇ、及び青色光を発する光源１１ｂからなり、ＰＷＭ制御方式により、各々が所定の光強度及びタイミングで発光する。この実施形態では、これらの各発光色を基本色として加法混合方式による混色を利用し、ＨＵＤ装置１は、報知画像をフルカラーで表示する。
【００２１】
逆起電力回路５０は、逆起電力発生用のコイル５１と、電流方向を制御し、コイル５１に生じた逆起電力を光源１１に供給するために設けられたダイオード５２と、からなる。
図３では概略的に示したコイル５１とダイオード５２とは、具体的には、図４に示すように、各色の光源１１に対応して設けられている。すなわち、光源１１ｒに対応してコイル５１ｒ及びダイオード５２ｒが設けられ、光源１１ｇに対応してコイル５１ｇ及びダイオード５２ｇが設けられ、光源１１ｂに対応してコイル５１ｂ及びダイオード５２ｂが設けられている。各光源に対応するコイル及びダイオードの構成は同様であるため、以下では、ある発光色の光源１１に対応するコイルとダイオードとを、単に符号５１、５２を用いて説明する。
【００２２】
コイル５１は、光源１１と直列接続されている。ダイオード５２は、アノード側が光源１１に接続され、カソード側がスイッチ回路６０に接続されている。これにより、次に説明するスイッチ回路６０がオン状態となった際に、コイル５１の逆起電力を利用して光源１１を発光させる。
【００２３】
スイッチ回路６０は、例えば、ＦＥＴ（Field Effect Transistor）等のトランジスタを含むスイッチ素子からなり、制御回路９０の制御のもと、逆起信号を駆動信号に加えるか否かのスイッチ動作を行う。
（１）制御回路９０は、後述する目標輝度が予め記憶している閾値Ｌｔ以上の場合、駆動回路４０の光源駆動信号がオフを示すタイミングで、スイッチ回路６０をオン状態とし、コイル５１に蓄えられたエネルギー、つまり逆起電力に応じた逆起信号が駆動回路４０に供給されるようにする。これにより、点灯期間の光源１１には、駆動信号に逆起信号を加えたぶん大きな駆動電流が供給されることになる。
（２）制御回路９０は、後述する目標輝度が閾値Ｌｔ以下の場合、スイッチ回路６０をオフ状態とし、逆起信号を駆動回路４０に供給させない。これにより、点灯期間の光源１１には、制御回路９０が供給する駆動信号に従った通常の駆動電流が供給されることになる。
【００２４】
外光強度検出手段７０は、外光の強度（明るさ）を検出するものであり、フォトトランジスタ、フォトダイオード等を含む受光センサー素子、Ａ／Ｄ変換器等からなる。具体的には、外光強度検出手段７０は、受光センサー素子で検出した外光強度に応じた検出信号（電圧）を、Ａ／Ｄ変換器によりデジタル値に変換して、外光強度情報として、制御回路９０に出力する。外光強度検出手段７０の受光センサー素子は、外光を受けることができる適宜の位置（例えば、ハウジングＨの一部に穴が設けられ、その穴から入り込む外光を受光できる位置）に配設されている。
【００２５】
電源回路８０は、電源ＩＣ（Integrated Circuit）からなり、車両２に搭載されるバッテリーからの電圧を降圧して、所定の電圧を制御回路９０、表示手段１０等に印加する。例えば、電源回路８０は、表示手段１０の光源１１に一定電圧を印加し、光源１１を点灯させる。
【００２６】
以上の構成からなるＨＵＤ装置１は、運転者に、所定の報知画像を虚像Ｖとして視認させることを可能とする。これを可能とする機構の一連の流れを簡潔に述べれば、ｉ）制御回路９０の制御の下、表示手段１０は、報知画像を表示する、つまり、表示光Ｌを出射する。ｉｉ）表示光Ｌは、光学系２０で反射され、反射光はウインドシールド３に向けて出射される。このようにして、ＨＵＤ装置１は表示光Ｌを出射する。ｉｉｉ）ＨＵＤ装置１が出射した表示光Ｌが、ウインドシールド３で反射されることで、図１に示すように、運転者から見て、ウインドシールド３の前方に報知画像の虚像Ｖが結ばれる、という流れになる。
【００２７】
ところで、車両に搭載されるＨＵＤ装置１では、要請される表示光の輝度範囲が他の表示器に比べて極端に広い。というのは、昼間では、表示光を外光よりも明るくする必要がある上、表示光Ｌがウインドシールド３（もしくはコンバイナ）を透過するぶんの光量の損失があるため、高輝度の表示光が求められる一方、夜間では、車外の様子を視認する上で、ユーザが眩しくないように低輝度且つ微妙な調光が求められるからである。
【００２８】
ここからは、高輝度を実現する際においても消費電力を低減することができる本実施形態に特有の光源駆動制御処理を、図５に示すフローチャートを参照して説明する。
【００２９】
（光源駆動制御処理）
制御回路９０は、例えば、ＨＵＤ装置１の電源投入を条件に、光源駆動制御処理を開始する。
【００３０】
まず、制御回路９０は、外光強度検出手段７０からの外光強度情報に応じた輝度調整データを生成する（ステップＳ１）。輝度調整データは、表示光Ｌの目標輝度を示すものであり、このデータにより、外光強度が大きければ大きいほど（つまり、周囲が明るければ明るいほど）、目標輝度の値が大きく設定され、外光強度が小さければ小さいほど（つまり、周囲が暗ければ暗いほど）、目標輝度の値が小さく設定される。
なお、制御回路９０は、ユーザ４の操作に基づく操作信号、車両２側からの切り替え信号等に基づいて、輝度調整データを生成してもよい。
【００３１】
続いて、制御回路９０は、輝度調整データが示す目標輝度が、予め記憶している閾値Ｌｔ以上であるか否かを判別する（ステップＳ２）。
【００３２】
目標輝度が閾値Ｌｔ以上である場合（ステップＳ２；Ｙｅｓ）、制御回路９０は、スイッチ回路６０をオン状態とする（ステップＳ３）。これにより、コイル５１に生じた逆起電力に応じて逆起信号が駆動回路４０に供給され、駆動回路４０は、駆動信号と逆起信号とに基づいて光源１１を駆動し（ステップＳ４）、光源１１は、駆動信号に逆起信号を加えた分、大きな駆動電流が供給されて、発光する。具体的には、制御回路９０は、後述するステップＳ７と同様に、設定された目標輝度とするためのデューティ比を決定して、そのデューティ比を有するパルス信号（光源１１に供給される駆動電流が所望の値となるように調整され、且つ、パルス幅を前記目標輝度に応じて変化させた駆動信号）を生成し、駆動回路４０に供給する。光源１１には、このような駆動信号に逆起信号を加えた分、大きな駆動電流が供給されることになる。
この実施形態では、外光強度検出手段７０からの外光強度情報に基づいて目標輝度が設定されるため、単に、外光強度情報が示す外光強度が所定の閾値以上になった場合に、制御回路９０は、スイッチ回路６０をオン状態としてもよい。その他の例としては、単にユーザ４の操作に基づいて目標輝度が閾値Ｌｔ以上となった場合や、車両２のライトが点灯から不点灯に切り替わった際（この際、周囲が明るくなったと想定される）に車両２側から供給される切り替え信号に応じて設定された目標輝度が閾値Ｌｔ以上となった場合等に、制御回路９０がスイッチ回路６０をオン状態とする例が考えられる。
いずれにせよ、目標輝度が閾値Ｌｔ以上となり、高輝度表示が必要とされる場合には、制御回路９０は、このように逆起信号を利用して大きな駆動電流を光源１１に供給する。
【００３３】
一方、目標輝度が閾値Ｌｔ未満である場合（ステップＳ２；Ｎｏ）、制御回路９０は、スイッチ回路６０をオフ状態とし（ステップＳ５）、逆起電力回路５０から逆起信号が駆動回路４０に供給されないようにする。
【００３４】
ステップＳ５に続いて、制御回路９０は、目標輝度の前回値が閾値Ｌｔ以上であったか否かを判別する（ステップＳ６）。例えば、制御回路９０は、目標輝度の前回値を一時的に記憶手段に記憶しており、この前回値に基づいて、判別処理を行う。
【００３５】
目標輝度の前回値が閾値Ｌｔ以上でない場合（ステップＳ６；Ｎｏ）、制御回路９０は、ステップＳ１で生成した輝度調整データが示す目標輝度に応じた駆動信号を駆動回路４０に供給する（ステップＳ７）。これにより、駆動回路４０は、駆動信号に基づいて光源１１を駆動し、発光させる。
具体的には、制御回路９０は、設定された目標輝度とするためのデューティ比を決定して、そのデューティ比を有するパルス信号（光源１１に供給される駆動電流が所望の値となるように調整され、且つ、パルス幅を前記目標輝度に応じて変化させた駆動信号）を生成し、駆動回路４０に供給する。例えば、デューティ比は、目標輝度が最大輝度のときに１００％に設定され、目標輝度が最大輝度より小さければ小さい程、９０％、８０％、・・と段階的に小さくなるように設定される。
なお、目標輝度に応じたそれぞれの調整値（デューティ比や電流値）は、制御回路９０の記憶手段に予め格納された演算プログラムまたはテーブルデータを用いて設定される。
【００３６】
一方、目標輝度の前回値が閾値Ｌｔ以上である場合（ステップＳ６；Ｙｅｓ）、制御回路９０は、輝度調整データが示す目標輝度とするためのデューティ比よりも所定量上げたデューティ比を有する駆動信号（パルス信号）を駆動回路４０に供給する（ステップＳ８）。このようにする理由を以下に説明する。
【００３７】
ステップＳ８に処理を進めた場合は、今回の目標輝度が閾値Ｌｔ未満（ステップＳ２；Ｎｏ）で且つ、目標輝度の前回値が閾値Ｌｔ以上（ステップＳ６；Ｙｅｓ）であり、つまり、今回処理において目標輝度が閾値Ｌｔを跨いで下回った場合である。この場合に、単に、駆動回路４０に逆起信号を加えない制御にすると、光源１１に供給される駆動電流が逆起信号ぶん急激に小さくなってしまい、急に報知画像の表示輝度が下がって視認されるおそれがある（具体的には、ちらつき等の原因となってしまうおそれがある）。そこで、今回処理において目標輝度が閾値Ｌｔを跨いで下回った場合には、制御回路９０は、急激に光源１１の輝度を低下させないため、図６に示すように、ステップＳ１で生成した輝度調整データが要請する目標輝度とするためのデューティ比（Ｄｕｔｙ比）よりも所定量上げたデューティ比を有するパルス信号を駆動回路４０に供給する。
デューティ比の増加分の所定量は、表示輝度が急激に低下したとユーザ４に感じさせない量として適宜定めればよい。
【００３８】
制御回路９０は、ステップＳ４、ステップＳ７、ステップＳ８のいずれかの処理を実行すると、処理をステップＳ１に戻す。制御回路９０は、例えば、ＨＵＤ装置１の電源がオフされるまで光源駆動制御処理を繰り返す。なお、閾値Ｌｔは、例えば、消費電力が所定値を超えないように勘案して予め定められている。
【００３９】
本実施形態に係る光源駆動装置１００は、光源１１と、光源１１に光源駆動信号を供給して光源１１を駆動する駆動回路４０（駆動手段の一例）と、逆起電力を発生させ、発生した逆起電力に応じた逆起信号を光源駆動信号に加える逆起電力発生手段（一例として逆起電力回路５０及びスイッチ回路６０が相当）と、駆動回路４０と逆起電力発生手段との動作を制御し、所望の目標輝度で光源１１を発光させる制御回路９０（制御手段の一例）と、を備え、制御回路９０は、目標輝度が閾値Ｌｔよりも小さい場合には、逆起信号を光源駆動信号に加えさせず、光源駆動信号によって光源１１を駆動し、目標輝度が閾値Ｌｔ以上の場合には、逆起信号を光源駆動信号に加えさせ、逆起信号と光源駆動信号とによって光源１１を駆動する。このように、光源駆動装置１００によれば、閾値Ｌｔを超える高輝度領域においては、逆起電力を用いて光源１１を駆動するため、高輝度を実現する際においても消費電力を低減することができ、また、発熱量を抑えることもできる。さらに、低輝度領域においては、逆起電力を用いずに光源１１を駆動するため、逆起電力が常に供給されている場合と比べて、より低輝度且つ微妙な調光が可能となり、実現できる低輝度領域を広げることができる。
【００４０】
また、逆起電力発生手段は、逆起信号を光源駆動信号に加えるか否かの動作を切り替えるスイッチ回路６０（切替手段の一例）を含み、スイッチ回路６０は、目標輝度が閾値Ｌｔよりも小さい場合には、逆起信号を光源駆動信号に加えさせないように動作を切り替え、目標輝度が閾値Ｌｔ以上の場合には、逆起信号を光源駆動信号に加えさせるように動作を切り替える。
【００４１】
また、光源駆動装置１００は、装置外部の外光の強度を検出する外光強度検出手段７０をさらに備え、制御回路９０は、外光強度検出手段７０によって検出された外光の強度に応じて目標輝度を設定する。
【００４２】
また、制御回路９０は、パルス幅変調（ＰＷＭ）制御方式により、目標輝度に応じたデューティ比をもつ駆動信号を駆動回路４０に供給することで光源１１を駆動し、逆起信号を光源駆動信号に加えさせていた状態から、逆起信号を光源駆動信号に加えさせない状態に遷移するタイミングで、目標輝度が要求するデューティ比よりも大きいデューティ比の駆動信号を駆動回路４０に供給する。これにより、光源１１に供給される駆動電流が逆起信号ぶん急激に小さくなってしまい、急に報知画像の表示輝度が下がって視認される、というようなことを防止できる。
【００４３】
なお、本発明は、以上の実施形態及び図面によって限定されるものではない。本発明の要旨を変更しない範囲で、適宜、実施形態及び図面に変更（構成要素の削除も含む）を加えることが可能である。以下に、変形例の一例を記す。
【００４４】
以上の説明では、表示光Ｌを、光学系２０で反射させ、ウインドシールド３に到達させる例を示したが、これに限られない。表示手段１０からの表示光Ｌを、直接、ウインドシールド３、もしくは装置専用のコンバイナに向けて照射させる構成であってもよい。
【００４５】
以上の説明では、ＨＵＤ装置１が搭載される乗り物の例を車両としたが、これに限られない。ＨＵＤ装置１をその他の乗り物（船舶、航空機等）に設置することもできる。さらには、乗り物に設置するものには限られない。
【００４６】
以上では、ＨＵＤ装置１が車両のダッシュボードと一体的に構成される例を示したが、ＨＵＤ装置１は、例えば、車両のダッシュボード上に設置される据え置き型（後付け型）のものであってもよい。
【００４７】
以上では、光源駆動装置１００を用いた表示装置の一例としてＨＵＤ装置１を挙げたが、これに限られない。その他の表示装置であってもよい。但し、ＨＵＤ装置は、背景（風景）と重ねて報知画像を視認させるため、特に、表示輝度の調整が必要であること等を踏まえると、上記のように光源駆動制御処理を行う表示装置としては、ＨＵＤ装置が好適である。
【００４８】
以上の説明では、本発明の理解を容易にするために、重要でない公知の技術的事項の説明を適宜省略した。
【符号の説明】
【００４９】
１  ＨＵＤ装置
１０  表示手段
Ｌ  表示光
２０  光学系
３０  回路基板
１００  光源駆動装置
４０  駆動回路
５０  逆起電力回路
６０  スイッチ回路
７０  外光強度検出手段
８０  電源回路
９０  制御回路
【図１】
2014107440.tif 000003
【図２】
2014107440.tif 000004
【図３】
2014107440.tif 000005
【図４】
2014107440.tif 000006
【図５】
2014107440.tif 000007
【図６】
2014107440.tif 000008